(57)【要約】【課題】楽曲の検索により適した楽曲リストの表示を行うことができる楽曲再生装置を提供する。【解決手段】選択されたアルバムに含まれる各楽曲について所定の情報を表示したリスト表示を行い、楽曲の選択を受け入れるとともに、リスト表示に際しては、各楽曲に関連付けられた画像を併せて表示する楽曲再生装置において、選択されたアルバム中の各楽曲に関連付けられた画像が同一であるか否かを判定する判定手段（ステップ７３、７４）を設け、リスト表示に際し、判定手段により、各楽曲に関連付けられた画像が同一であると判定された場合には、その画像を所定の１箇所において代表画像として表示し（ステップ７５）、同一ではないと判定された場合には、各楽曲に関連付けられた画像をそれぞれ各楽曲の前記所定情報の表示に付随させて表示する（ステップ７６）ようにする。【選択図】図７
2008071419.tif 000002
【特許請求の範囲】
【請求項１】
選択されたアルバムに含まれる各楽曲について所定の情報を表示したリスト表示を行い、楽曲の選択を受け入れるとともに、前記リスト表示に際しては、各楽曲に関連付けられた画像を併せて表示するインタフェース手段を備えた楽曲再生装置であって、
前記選択されたアルバム中の各楽曲に関連付けられた画像が同一であるか否かを判定する判定手段を備え、
前記インタフェース手段は、前記リスト表示に際し、前記判定手段により、各楽曲に関連付けられた画像が同一ではないと判定された場合には、各楽曲に関連付けられた画像をそれぞれ各楽曲の前記所定情報の表示に付随させて表示することを特徴とする楽曲再生装置。
【請求項２】
前記インタフェース手段は、前記リスト表示に際し、前記判定手段により、各楽曲に関連付けられた画像が同一であると判定された場合には、その画像を所定の１箇所において代表画像として表示することを特徴とする請求項１に記載の楽曲再生装置。
【請求項３】
選択されたアルバムに含まれる各楽曲について所定の情報を記憶手段から読み出し、表示手段において表示させることによりリスト表示を行い、入力手段による入力に基づいて前記リスト表示された各楽曲からの楽曲の選択を受け入れるとともに、前記リスト表示に際しては、各楽曲に関連付けられた画像を前記記憶手段から読み出して表示するインタフェース手段として楽曲再生装置を機能させるプログラムであって、
前記記憶手段に記憶されている前記アルバム中の各楽曲に対する画像の関連付けに関する情報に基づき、前記アルバム中の各楽曲に関連付けられた画像が同一であるか否かを判定する判定手段として前記楽曲再生装置を機能させ、
前記インタフェース手段は、前記リスト表示に際し、前記判定手段により、各楽曲に関連付けられた画像が同一であると判定された場合には、その画像を所定の１箇所において代表画像として表示し、同一ではないと判定された場合には、各楽曲に関連付けられた画像をそれぞれ各楽曲の前記所定情報の表示に付随させて表示するものであることを特徴とするプログラム。
【請求項４】
選択されたアルバム中の選択可能な各楽曲について所定の情報を表示したリスト表示を行い、楽曲の選択を受け入れるとともに、前記リスト表示に際しては、各楽曲に関連付けられた画像を併せて表示するインタフェース工程を備えた楽曲再生装置における楽曲再生方法であって、
前記選択されたアルバム中の各楽曲に関連付けられた画像が同一であるか否かを判定する判定工程を備え、
前記インタフェース工程では、前記リスト表示に際し、前記判定工程により、各楽曲に関連付けられた画像が同一であると判定された場合には、その画像を所定の１箇所において代表画像として表示し、同一ではないと判定された場合には、各楽曲に関連付けられた画像をそれぞれ各楽曲の情報の表示に付随させて表示することを特徴とする楽曲再生装置における楽曲再生方法。
【発明の詳細な説明】
【技術分野】
【０００１】
本発明は、選択されたアルバム中の選択可能な各楽曲について所定の情報を表示したリスト表示を行い、楽曲の選択を受け入れる楽曲再生装置、該装置としての機能を実現するプログラム、及び該装置における楽曲再生方法に関する。
【背景技術】
【０００２】
従来、ポータブル楽曲再生装置におけるユーザインタフェースを改善する技術として、所定のカテゴリの階層を辿って再生対象の検索を行うことができるようにしたものが知られている。階層を形成するカテゴリとしては、たとえば、ジャンル、アーティスト、アルバム、プレイリスト等を採用することができる。ジャンル、アーティスト、及びアルバム並びに各アルバムに含まれる楽曲は、たとえばこの順で階層構造を形成する。ユーザは、たとえば、ホーム画面において表示されるアルバム、アーティスト、ジャンル、及びプレイリストのうちのいずれかのカテゴリから始めて、下位のカテゴリへ向けて、再生対象の検索を行うことができる。
【０００３】
たとえば、ユーザはホーム画面においてアルバムのカテゴリを選択することにより、装置に記録されているアルバムのリストを表示させることができる。さらに、いずれかのアルバムを選択して、そのアルバムに含まれる楽曲のリストを表示させることができる。同様に、ホーム画面においてアーティストを選択することにより、アーティスト、アルバム及び楽曲の順で、上位から下位の階層へ向けて検索を行うことができる。ホーム画面においてジャンルを選択した場合には、ジャンル、アーティスト、アルバム、及び楽曲の順で階層を下りながら検索を行うことができる。プレイリストを選択した場合には、ユーザが予めプレイリストに登録したアルバムや楽曲を検索することができる。
【０００４】
一方、楽曲の再生中に、その楽曲のアルバムジャケットの画像や、その楽曲のジャンルに関連したイメージ画像を表示するようにした楽曲再生装置も知られている（たとえば特許文献１参照）。
【０００５】
図８はさらに別の従来技術に係る楽曲再生装置における楽曲リストの表示画面を示す。この楽曲リストの表示は楽曲の選択用メニューとして用いられる。この楽曲リストの表示は、あるアルバムが選択された場合に、その下位の画面として、そのアルバムに含まれる楽曲について行われる。この楽曲再生装置では、上述のユーザインタフェースを改善する技術におけるのと同様のカテゴリによる階層構造に従った検索を可能としている。また、楽曲リスト中の各楽曲にはその楽曲が属するアルバムのジャケット画像が関連付けられており、楽曲リストの表示に際しては、各楽曲の名称の表示に付随させて、その楽曲に関連付けられた画像が表示される。
【０００６】
すなわち、図８に示す楽曲リストの表示画面８０では、最上部のアルバム表示欄８１において、選択されたアルバムの名称である「アルバムＡ」が表示されている。その下の、各楽曲の表示欄８２では、アルバムＡに含まれる各楽曲の名称として「楽曲１」、「楽曲２」・・・が表示されている。また、各楽曲名の表示に付随させて、各楽曲に関連付けられたアルバムジャケットの画像８３が併せて表示されている。基本的には、同一アルバムに含まれる各楽曲に対しては、同一のジャケット画像が関連付けられる。ただし、異なる画像が関連付けられる場合もある。
【０００７】
楽曲リストにおける選択中の楽曲についての表示欄８２ａ、すなわちカーソルが位置する表示欄８２ａでは、選択中であることがわかるように、表示が拡大され、他の表示欄８２とは異なる配色の文字で情報の表示が行われる。拡大された表示欄８２ａには楽曲名称に加え、アーティストの名称「アーティストα」や演奏時間「３：３８」の情報が追加的に表示される。選択中の楽曲については、所定のユーザ操作がなされた場合、再生が開始されることになる。
【０００８】
【特許文献１】特開２００６−２１６２０１号公報
【発明の開示】
【発明が解決しようとする課題】
【０００９】
しかしながら、上述図８の従来例によれば、各楽曲の表示欄８２や８２ａにおいて、同一のジャケット画像が繰り返し表示されているので、観た感じとして、煩わしい印象を与える。また、ジャケット画像が明るい配色のものである場合には、相対的に、文字情報が見え難くなり、各楽曲についての情報の視認性が低下する場合がある。さらに、楽曲の選択のためにカーソルを移動させるとき、移動速度を大きくしようとしても、画像の表示を書き換えるための負荷により、移動速度がスムーズに上がらないという問題もある。
【００１０】
本発明の目的は、このような従来技術の問題点に鑑み、楽曲の検索により適した楽曲リストの表示を行うことができる楽曲再生装置を提供することにある。
【課題を解決するための手段】
【００１１】
上記目的を達成するため、第１の発明に係る楽曲再生装置は、選択されたアルバム中の選択可能な各楽曲について所定の情報を表示したリスト表示を行い、楽曲の選択を受け入れるとともに、前記リスト表示に際しては、各楽曲に関連付けられた画像を併せて表示するインタフェース手段を備えた楽曲再生装置に関する。この装置は、前記選択されたアルバム中の各楽曲に関連付けられた画像が同一であるか否かを判定する判定手段を備え、前記インタフェース手段は、前記リスト表示に際し、前記判定手段により、各楽曲に関連付けられた画像が同一ではないと判定された場合には、各楽曲に関連付けられた画像をそれぞれ各楽曲の前記所定情報の表示に付随させて表示するものであることを特徴とする。
【００１２】
ここで、楽曲再生装置としては、たとえばハードディスクを内蔵した携帯型のものが該当する。各楽曲についての所定の情報としては、たとえば、楽曲名が該当する。楽曲の選択は、たとえば、再生したり、削除したりする楽曲を特定するために行われる。各楽曲に関連付けられた画像としては、たとえば、各楽曲が含まれるアルバムのジャケット画像が該当する。同一アルバム中の各楽曲に関連付けられた画像は同一である場合、及び同一でない場合があり得る。
【００１３】
この構成において、アルバムが選択されると、そのアルバム中の選択可能な各楽曲について所定の情報を表示したリスト表示が行われ、リスト中からの楽曲の選択の受け入れが行われる。その際、判定手段により、各楽曲に関連付けられた画像が同一ではないと判定された場合には、各楽曲に関連付けられた画像がそれぞれ各楽曲の情報の表示に付随するように表示される。したがって、各楽曲に関連する画像が異なる場合には、各楽曲に対応する画像を各楽曲の情報の表示に付随させて表示することができる。
【００１４】
第２の発明に係る楽曲再生装置は、第１発明において、前記インタフェース手段は、前記リスト表示に際し、前記判定手段により、各楽曲に関連付けられた画像が同一であると判定された場合には、その画像を所定の１箇所において代表画像として表示することを特徴とする。
【００１５】
第３の発明に係るプログラムは、選択されたアルバムに含まれる各楽曲について所定の情報を記憶手段から読み出し、表示手段において表示させることによりリスト表示を行い、入力手段による入力に基づいて前記リスト表示された各楽曲からの楽曲の選択を受け入れるとともに、前記リスト表示に際しては、各楽曲に関連付けられた画像を前記記憶手段から読み出して表示するインタフェース手段として楽曲再生装置を機能させるプログラムに関する。このプログラムは、前記記憶手段に記憶されている前記アルバム中の各楽曲に対する画像の関連付けに関する情報に基づき、前記アルバム中の各楽曲に関連付けられた画像が同一であるか否かを判定する判定手段として前記楽曲再生装置を機能させ、前記インタフェース手段は、前記リスト表示に際し、前記判定手段により、各楽曲に関連付けられた画像が同一であると判定された場合には、その画像を所定の１箇所において代表画像として表示し、同一ではないと判定された場合には、各楽曲に関連付けられた画像をそれぞれ各楽曲の前記所定情報の表示に付随させて表示するものであることを特徴とする。
【００１６】
第４の発明に係る楽曲再生装置における楽曲再生方法は、選択されたアルバム中の選択可能な各楽曲について所定の情報を表示したリスト表示を行い、楽曲の選択を受け入れるとともに、前記リスト表示に際しては、各楽曲に関連付けられた画像を併せて表示するインタフェース工程を備えた楽曲再生装置における楽曲再生方法に関する。この楽曲再生方法は、前記選択されたアルバム中の各楽曲に関連付けられた画像が同一であるか否かを判定する判定工程を備え、前記インタフェース工程では、前記リスト表示に際し、前記判定工程により、各楽曲に関連付けられた画像が同一であると判定された場合には、その画像を所定の１箇所において代表画像として表示し、同一ではないと判定された場合には、各楽曲に関連付けられた画像をそれぞれ各楽曲の情報の表示に付随させて表示することを特徴とする。
【発明の効果】
【００１７】
本発明によれば、選択されたアルバムに含まれる各楽曲についてのリスト表示に際し、各楽曲に関連付けられた画像が同一でない場合には、各楽曲に関連付けられた画像をそれぞれ各楽曲の情報の表示に付随させて表示するようにしたため、各楽曲に関連する画像が異なる場合には、各楽曲に対応する画像を各楽曲の情報の表示に付随させて表示することができる。
【００１８】
また、選択されたアルバムに含まれる各楽曲についてのリスト表示に際し、各楽曲に関連付けられた画像が同一である場合には、その画像を所定の１箇所において代表画像として表示するようにしたため、同一の画像が各楽曲の表示に付随して繰り返し表示されるのを防止することができる。
【００１９】
したがって、同一の画像が各楽曲の表示に付随して繰り返し表示されることによる観た感じの煩わしさを解消することができるとともに、各楽曲に関連する画像が異なる場合には、各楽曲の特徴等を関連画像によって表現することができる。
【発明を実施するための最良の形態】
【００２０】
図１は、本発明の一実施形態に係る携帯型の楽曲再生装置の構成を示すブロック図である。同図に示すようにこの装置は、装置各部の制御や各種情報の処理を行う制御部１１、制御部１１によってアクセスされるハードディスク１２、制御部１１の制御により各種情報の表示を行う表示部１３、制御部１１に対してユーザが操作入力を行うための入力部１４、制御部１１からの音声信号を音波に変換して出力する音声出力部１５を備える。ハードディスク１２には、楽曲の再生に用いられる音楽ファイルや、各楽曲に対して関連付けられた画像データが格納される。制御部１１は所定のプログラムに従い、ハードディスク１２中のデータを参照しながら、入力部１４及び表示部１３を用いたユーザインタフェース機能や、該機能を介して指定された楽曲の再生等を行う。
【００２１】
図２は図１の装置の前面を示す。同図において、２１は表示部１３を構成する液晶ディスプレイの画面、２２は入力部１４を構成する操作キー、２３は同様に入力部１４を構成するメニューキー、２４は音声出力部１５を構成するヘッドホンである。操作キー２２は中央に位置する中央キーＭ、上部に位置する上キーＵ、下部に位置する下キーＤ、右側に位置する右キーＲ、及び左側に位置する左キーＬの５つのキーを備える。それぞれタクトスイッチで構成されている。特に上キーＵ及び下キーＤはそれぞれ、軽く押下する軽押し及び強く押下する強押しにより２段階で動作するタクトスイッチで構成されている。つまり、上キーＵ及び下キーＤはそれぞれ、１つのキーで軽押し及び強押しによる２種類の操作入力を行うことができるようになっている。
【００２２】
メニューキー２３は、各種動作モード設定用の選択項目を上下方向に並べて表示したメニュー画面を表示させるために用いることができる。上キーＵ及び下キーＤは、各種メニュー画面における選択項目の選択を行うために用いることができる。再生装置は、上キーＵ又は下キーＤが押下されると、選択中の項目を示すカーソルを、メニューの上方向又は下方向に移動させる。その際、選択項目数が多い場合には、必要に応じて、メニュー表示を上下方向にスクロールさせる。上キーＵ又は下キーＤの押下によるカーソル移動やメニュー表示のスクロールの速度は、軽押しの場合に遅く、強押しの場合に早い。右キーＲは選択中の項目に関連する下位の画面を表示させるために用いることができる。
【００２３】
図３はハードディスク１２に記録されている楽曲を区分する方法の一例を示す。各楽曲の音楽ファイルに付随するアルバム名、アーティスト名、ジャンル名等の情報に基づき、同図のように、各楽曲はアルバム毎に区分することができる。また、各アルバムはアーティスト毎に区分し、各アーティストはジャンル毎に区分することができる。すなわち、ジャンル、アーティスト、アルバム、及び楽曲を各階層のカテゴリとする階層構造を形成することができる。階層構造としては図３の例の他、音楽ファイルに付随するアルバム名、アーティスト名、ジャンル名等の情報を用いて形成し得る種々の形態のものを採用することができる。たとえば、カテゴリ要素として全楽曲が含まれる楽曲カテゴリのみの階層かなる階層構造や、カテゴリ要素として全アーティストが含まれるアーティストカテゴリの階層、及びその下の階層としての各アーティスト毎に区分された楽曲カテゴリの階層からなる階層構造を採用してもよい。
【００２４】
図４は画面２１に表示されたホーム画面を示す。この画面上には「アーティスト」、「アルバム」、「ジャンル」等のカテゴリ名が表示されており、いずれかのカテゴリを選択して右キーＲを押下することにより、そのカテゴリの階層から始めて、上述のような階層構造に従い、所望の階層のカテゴリにおける要素の検索を行うことができるようになっている。
【００２５】
たとえば、図４のホーム画面において「アーティスト」にカーソルが位置付けられ、「アーティスト」が選択された状態において、右キーＲが押下されると、楽曲再生装置は、図３の例に従えば、「アーティストＡ」、「アーティストＢ」・・・を選択項目とするアーティストの一覧画面を表示する。この画面において、上キーＵ及び下キーＤの操作により「アーティストＢ」が選択され、右キーＲが押下されると、アーティストＢに属する「アルバムｂ」及び「アルバムｃ」を選択項目とするアルバムの一覧画面を表示する。この画面においてアルバムｃが上キーＵ及び下キーＤの操作により選択され、右キーＲが押下されると、「楽曲１２」、「楽曲１３」・・・「楽曲ｎ」を選択項目とする楽曲の一覧画面を表示する。この画面においては、上キーＵ及び下キーＤの操作により、表示された楽曲のうちのいずれかを選択することができる。
【００２６】
また、このようにして所望の階層のカテゴリにおける要素を検索し、選択することにより、再生範囲や再生開始位置を指定することができるようになっている。たとえばアーティストＢが選択され、中央キーＭが押下された場合には、楽曲再生装置は、設定に応じ、アーティストＢに属する全アルバムの全楽曲を再生し、又はアーティストＢに属する最初のアルバムｂの楽曲６から再生を開始する。
【００２７】
図５は図３の例におけるアルバムａが選択され、右キーＲが押下された場合に表示される楽曲の一覧画面、すなわち楽曲選択用のメニュー画面を示す。ただし、アルバムａに含まれる楽曲１〜５のいずれに対しても、アルバムａのジャケット画像が関連付けられている。つまり、楽曲１〜５に対し、同一の画像が関連付けられている。この場合、図５に示すように、メニュー画面の上部にはアルバムａのジャケット画像５１が、アルバムａのアルバム名「アルバムａ」、アーティスト名「アーティストα」、曲数「１０曲」、総演奏時間「５０：４３」等の情報５２と共に表示される。この表示の下側には、楽曲１〜５の楽曲名「楽曲１」、「楽曲２」・・・が選択項目として表示される。図５では、楽曲３の選択項目位置にカーソル５３が位置付けられ、楽曲３が選択されている様子が示されている。選択されている楽曲３については、楽曲名が他の楽曲のものとは異なる色で表示されるとともに、演奏時間に関する情報が追加表示されるが、関連付けられた画像が表示されることはない。
【００２８】
図６は図３の例におけるアルバムｂが選択され、右キーＲが押下された場合に表示される楽曲選択用のメニュー画面を示す。ただし、アルバムｂに含まれる楽曲６〜１１に対しては、異なる画像が関連付けられている。この場合、図６に示すように、メニュー画面には、楽曲６〜１１の楽曲名「楽曲６」、「楽曲７」・・・とともに、それぞれに関連付けられた画像８６〜９１が、各楽曲名に付随させて表示される。ただし、図においては楽曲名「楽曲１１」及び画像９１は画面２１上に現れてはおらず、メニュー画面がスクロールすることにより見えるようになっている。図６においては楽曲８が選択されている様子が示されている。このように、選択されている楽曲については、付随する画像が拡大して表示され、楽曲名等の文字が明るい配色で表示され、演奏時間に関する情報が追加表示される。最上部にはアルバムｂのアルバム名「アルバムｂ」及びこれに関連付けられたアルバムジャケットの画像９２が表示される。
【００２９】
図７は制御部１１による処理の一部を示すフローチャートである。この処理は、いずれかのアルバムが選択されている状態において開始される。処理を開始すると、制御部１１はまず、ステップ７１及び７２において、右キーＲ又は他のキーが押下されるのを待機する。他のキーの押下を検出した場合には直ちに図７の処理を終了する。この場合、押下された他のキーに対応する処理が行われることになる。
【００３０】
右キーの押下を検出した場合には、ステップ７３へ進み、選択中のアルバムに含まれる各楽曲に対して関連付けられている画像が同一か否かを調べる。この調査は、ハードディスク１２に記憶されている、各アルバム中の各楽曲に対する画像の関連付けに関する情報に基づいて行うことができる。次にステップ７４において、調査結果に基づき、各楽曲に対して関連付けられている画像が同一であるか否かを判定する。同一であると判定した場合にはステップ７５へ進み、図５に示されるような態様で、楽曲選択用のメニュー表示を行う。同一ではいないと判定した場合には、ステップ７６へ進み、図６に示されるような態様で、楽曲選択用のメニュー表示を行う。ステップ７５又は７６の処理が完了すると、図７の処理を終了する。この場合、ユーザは、図５又は図６の態様による楽曲選択用のメニュー表示に基づき、上キーＵ及び下キーＤを操作することにより楽曲の選択を行うことができる。
【００３１】
本実施形態によれば、選択されたアルバムに含まれる各楽曲についての選択用メニューの表示に際し、各楽曲に関連付けられた画像が同一である場合には、その画像を所定の１箇所において代表画像として表示し、同一ではない場合には、各楽曲に関連付けられた画像をそれぞれ各楽曲の楽曲名の表示に付随させて表示するようにしたため、同一の画像が各楽曲の楽曲名の表示に付随して繰り返し表示されるのを防止しながら、各楽曲に関連する画像が異なる場合には、各楽曲に対応する画像を各楽曲の楽曲名の表示に付随させて表示することができる。したがって、同一の画像が各楽曲の表示に付随して繰り返し表示されることによる観た感じの煩わしさを解消することができるとともに、各楽曲に関連する画像が異なる場合には、各楽曲の特徴等を関連画像によって表現することができる。
【００３２】
また、各楽曲に関連付けられた画像が同一の場合には、カーソルの移動や画面スクロールに伴う画像の書換えの負担が軽減するので、ユーザは選択操作を迅速に行うことができる。また、各楽曲に関連付けられた同一のジャケット画像が明るい配色のものである場合でも、各楽曲の情報の表示に付随して表示されることがないので、相対的に、各楽曲についての情報の視認性が向上する。
【００３３】
なお、本発明は上述の実施形態に限定されることなく適宜変形して実施することができる。たとえば、上述においては、音楽ファイルや関連図形を格納するためにハードディスクを用いているが、この代わりに半導体メモリを用いるようにしてもよい。
【図面の簡単な説明】
【００３４】
【図１】本発明の一実施形態に係る携帯型の楽曲再生装置の構成を示すブロック図である。
【図２】図１の装置の前面を示す図である。
【図３】図１の装置のハードディスクに記録されている楽曲を所定の方法で区分した様子を示す図である。
【図４】図１の装置におけるホーム画面を示す図である。
【図５】図３の例におけるアルバムａが選択され、右キーＲが押下された場合に表示される楽曲選択用のメニュー画面を示す図である。
【図６】図３の例におけるアルバムａが選択され、右キーＲが押下された場合に表示される楽曲選択用の別のメニュー画面を示す図である。
【図７】図１の装置における制御部による処理の一部を示すフローチャートである。
【図８】従来の楽曲再生装置における１つのアルバムに含まれる楽曲のリストを表示した画面を示す図である。
【符号の説明】
【００３５】
１１：制御部、１２：ハードディスク、１３：表示部、１４：入力部、１５：音声出力部、２１：画面、２２：操作キー、２３：メニューキー、２４：ヘッドホン、Ｍ：中央キー、Ｒ：右キー、Ｌ：左キー、Ｕ：上キー、Ｄ：下キー、５１：ジャケット画像、５２：情報、５３：カーソル、８６〜９０：画像、９２：アルバムジャケット画像、８０：表示画面、８１：アルバム表示欄、８２ａ：拡大された表示欄、８３：画像。
【図１】
2008071419.tif 000003
【図２】
2008071419.tif 000004
【図３】
2008071419.tif 000005
【図４】
2008071419.tif 000006
【図５】
2008071419.tif 000007
【図６】
2008071419.tif 000008
【図７】
2008071419.tif 000009
【図８】
2008071419.tif 000010